(57)【特許請求の範囲】
【請求項１】
複数の負荷と、
前記負荷に電力を供給する電源部と、
前記負荷と前記電源部との接続、遮断を切り替え、複数の前記負荷のうち、電力を供給する前記負荷を切り替える第１スイッチと、
電力を蓄え、接続された前記負荷に対して電力を供給するキャパシターと、
複数の前記負荷のうち、前記キャパシターと接続する前記負荷を切り替え、前記電源部と接続する前記負荷の前記第１スイッチによる切り替えに伴い、駆動が不安定となる前記負荷と前記キャパシターを接続する第２スイッチと、を含み、
前記第１スイッチは、前記負荷の駆動が完了する前に電力の供給先を切り替え、
駆動が不安定となる前記負荷は、前記第１スイッチが前記電源部と接続する前記負荷を切り替えることにより、駆動が完了する前に前記電源部からの電力供給が停止される前記負荷であり、
前記第２スイッチは、これから前記電源部からの電力供給が停止される前記負荷と前記キャパシターを、前記電源部からの電力を供給する前記負荷の切り替え前から接続しておき、前記電源部からの電力供給が停止された前記負荷の駆動が完了すると、前記電源部からの電力供給が開始された前記負荷と前記キャパシターを接続することを特徴とする電気機器。
【請求項２】
複数の負荷と、
前記負荷に電力を供給する電源部と、
前記負荷と前記電源部との接続、遮断を切り替え、複数の前記負荷のうち、電力を供給する前記負荷を切り替える第１スイッチと、
電力を蓄え、接続された前記負荷に対して電力を供給するキャパシターと、
複数の前記負荷のうち、前記キャパシターと接続する前記負荷を切り替え、前記電源部と接続する前記負荷の前記第１スイッチによる切り替えに伴い、駆動が不安定となる前記負荷と前記キャパシターを接続する第２スイッチと、を含み、
駆動が不安定となる前記負荷は、前記第１スイッチが前記電源部と接続する前記負荷を切り替えることにより、これから前記電源部からの電力供給が開始される前記負荷であり、
前記第２スイッチは、これから前記電源部からの電力供給を停止する前記負荷と前記キャパシターを接続して前記キャパシターを充電しておき、前記電源部からの電力供給先の切り替えにあわせ、又は、前記電源部からの電力供給先の切り替え前から、前記電源部からの電力供給が開始される前記負荷と前記キャパシターを接続することを特徴とする電気機器。
【請求項３】
請求項１又は２に記載の電気機器を含むことを特徴とする画像形成装置。
【発明の詳細な説明】
【技術分野】
【０００１】
本発明は、電力を供給する負荷の切り替えを行う電気機器や画像形成装置に関する。
【背景技術】
【０００２】
例えば、複合機、プリンターのような画像形成装置は、用紙搬送を行う装置、給紙を行う装置、原稿読取を行う装置、印刷を行う装置や、制御や画像処理を行う基板、回路等、様々な電気的な負荷が組み合わせて構成される。これらの負荷に対して電力が供給されることで、画像形成装置が機能する。そして、画像形成装置で瞬間的に大きな電力を扱えるようにする等の目的で、画像形成装置に各種負荷に電力を供給する補助電源（例えば、蓄電池や燃料電池）を搭載することがある。
【０００３】
例えば、特許文献１には、商用電源から供給される電力を複数の負荷に供給する主電源手段と、電力を複数の負荷に供給する複数の補助電源手段と、主電源手段又は複数の補助電源手段から複数の負荷への電力の供給を選択的に切り替える電源切替手段と、複数の負荷の動作モードに応じて電源切替手段を制御する制御手段と、を備える画像形成装置が記載されている。
【先行技術文献】
【特許文献】
【０００４】
【特許文献１】特開２００８−１７０６８２号公報
【発明の概要】
【発明が解決しようとする課題】
【０００５】
例えば、画像形成装置は、上述のように、さまざまな装置、基板、回路、素子等、複数の負荷が組み合わせて構成される。そして、省電力や電源の能力等の観点から、複数の負荷のうち、電力を供給する負荷を順次切り替えて、複数の負荷のうち、一部の負荷を選択して電力を供給することがある。
【０００６】
ここで、電力を供給する負荷の切替が、負荷の駆動を不安定にしてしまうことがある。例えば、電力の供給中の負荷が、電圧変動に対し敏感であり、電力を供給する負荷の切替のタイミングにばらつき等があれば、これから電力供給が停止される負荷（切替前の負荷）の駆動を不安定なものとしてしまうことがある。そして、駆動が不安定になると、動作、処理の停止、遅延が生じたり、必要の無い信号が出力されるなど、画像形成装置などの装置の正確、適切な動作の妨げになることがある。従って、電力を供給する負荷の切替により、負荷の駆動が不安定になることを防ぎ、処理、駆動に問題が生じないようにする必要がある。
【０００７】
尚、特許文献１記載の発明は、上述のように、主電源手段と、複数の補助電源手段を含む。しかし、電力を供給する負荷の切替による問題についての言及、示唆は記載されていない。従って、電力を供給する負荷の切替が、負荷の駆動を不安定にしてしまうことがあるという問題に対応することができない。
【０００８】
本発明は、上記問題点を鑑み、高コストな電圧安定用の専用回路を備えた基板、回路を設けることなく、電力を供給する負荷の切替により、負荷の駆動が不安定になることを安価、簡易に防ぎ、安定した負荷の駆動を保ち、機器の正常な動作を保証することを課題とする。
【課題を解決するための手段】
【０００９】
上記目的を達成するために請求項１に係る電気機器は、複数の負荷と、前記負荷に電力を供給する電源部と、前記負荷と前記電源部との接続、遮断を切り替え、複数の前記負荷のうち、電力を供給する前記負荷を切り替える第１スイッチと、電力を蓄え、接続された前記負荷に対して電力を供給するキャパシターと、複数の前記負荷のうち、前記キャパシターと接続する前記負荷を切り替え、前記電源部と接続する前記負荷の前記第１スイッチによる切り替えに伴い、駆動が不安定となる前記負荷と前記キャパシターを接続する第２スイッチと、を含むこととした。
【００１０】
この構成によれば、第２スイッチは、複数の負荷のうち、キャパシターと接続する負荷を切り替え、電源部と接続する負荷の第１スイッチによる切り替えに伴い、駆動が不安定となる負荷とキャパシターを接続する。これにより、電源部からの電力を供給する負荷の切替を行っても、各負荷の駆動が不安定にならない。このように、負荷の駆動を安定に保つので（安定化するので）、機器の正常な動作が保証される。又、使用されない負荷に対しては電力の供給がなされないので、高い省電力効果を得ることができる。
【００１１】
又、キャパシターを設け、キャパシターの接続先を切り替えるだけなので、消費電力の変動に対応した高コストな負荷に対する電圧安定用の専用回路を備えた基板、回路を設けずに済む。従って、電力を供給する負荷の切替に伴う負荷の駆動の不安定化を、安価に防ぐことができる。又、電圧安定用の専用回路などを設ける場合に比べ、簡易に負荷の駆動の不安定化を防ぐことができ、電気機器の開発期間の短縮化を図ることができる。
【００１２】
又、請求項１の発明において、前記第１スイッチは、前記負荷の駆動が完了する前に電力の供給先を切り替え、駆動が不安定となる前記負荷は、前記第１スイッチが前記電源部と接続する前記負荷を切り替えることにより、駆動が完了する前に前記電源部からの電力供給が停止される前記負荷であり、前記第２スイッチは、これから前記電源部からの電力供給が停止される前記負荷と前記キャパシターを、前記電源部からの電力を供給する前記負荷の切り替え前から接続しておき、前記電源部からの電力供給が停止された前記負荷の駆動が完了すると、前記電源部からの電力供給が開始された前記負荷と前記キャパシターを接続することとした。
【００１３】
電力供給が開始される負荷（切替後の負荷）が駆動を開始すべきタイミングにあわせて、電力を供給する負荷の切替を行うことがある。言い換えると、電力供給が停止される負荷（切替前の負荷）の動作完了を待たずに電力供給先を切り替えつつ、切替前の負荷を、負荷に蓄えられたエネルギーを用いて期間完了まで駆動させることがある。このような場合、第１スイッチによる電力を供給する負荷の切替に伴い、電力供給が停止される負荷は、駆動完了までの間に動作不安定となることがある。そこで、この構成によれば、第２スイッチは、第１スイッチが電源部と接続する負荷を切り替えるとき、電力供給が停止される負荷とキャパシターを接続する。これにより、切替後の負荷を優先するように、電力を供給する負荷の切替がなされても、電力供給が停止される負荷（切替前の負荷）を動作完了の時点まで安定して駆動させることができる。
【００１４】
又、請求項２に係る発明は、複数の負荷と、前記負荷に電力を供給する電源部と、前記負荷と前記電源部との接続、遮断を切り替え、複数の前記負荷のうち、電力を供給する前記負荷を切り替える第１スイッチと、電力を蓄え、接続された前記負荷に対して電力を供給するキャパシターと、複数の前記負荷のうち、前記キャパシターと接続する前記負荷を切り替え、前記電源部と接続する前記負荷の前記第１スイッチによる切り替えに伴い、駆動が不安定となる前記負荷と前記キャパシターを接続する第２スイッチと、を含み、駆動が不安定となる前記負荷は、前記第１スイッチが前記電源部と接続する前記負荷を切り替えることにより、これから前記電源部からの電力供給が開始される前記負荷であり、前記第２スイッチは、これから前記電源部からの電力供給を停止する前記負荷と前記キャパシターを接続して前記キャパシターを充電しておき、前記電源部からの電力供給先の切り替えにあわせ、又は、前記電源部からの電力供給先の切り替え前から、前記電源部からの電力供給が開始される前記負荷と前記キャパシターを接続することとした。
【００１５】
電源の電力や電流の供給能力や、電力の供給開始時に負荷に流れ込む電流の大きさなどとの兼ね合いで、負荷への電力供給を開始したとき、負荷に印加される電圧が低下することがある。そこで、この構成によれば、第２スイッチは、第１スイッチが電源部と接続する負荷を切り替えるとき、これから電力供給が開始される負荷とキャパシターを接続する。これにより、負荷に印加する電圧の一時的な低下を防止し、負荷を正確、確実に駆動させることができる。
【００１６】
又、請求項１又は２の発明では、前記第２スイッチは、電力が供給され駆動中の前記負荷と前記キャパシターを接続し、前記キャパシターは、電力が供給され駆動中の前記負荷を介して充電することとした。
【００１７】
この構成によれば、第２スイッチは、電力が供給され駆動中の負荷とキャパシターを接続し、キャパシターは、電力が供給され駆動中の負荷を介して充電する。これにより、電力を供給する負荷の切替を行う前の段階でキャパシターを充電することができる。又、十分に充電されたキャパシターにより、電力を供給する負荷の切替に伴って、駆動が不安定化しないように負荷に電力を供給することができる。
【００１８】
又、請求項３に係る画像形成装置は、請求項１又は２に記載の電気機器を含むこととした。
【００１９】
この構成によれば、駆動が不安定にならないように、画像形成装置に含まれる各種負荷への電力の供給を切り替えることができる。又、使用されない負荷に対しては電力の供給がなされないので、高い省電力効果を得ることができる。従って、高い省電力効果を有しつつ、正常な動作が保証された画像形成装置を提供することができる。又、電力を供給する負荷の切替に伴う負荷の駆動の不安定化を、安価、簡易に防ぐことができるので、画像形成装置の製造コストの削減や開発期間の短縮を実現することができる。
【発明の効果】
【００２０】
本発明によれば、電力を供給する負荷の切替により、負荷の駆動が不安定になることを防ぐことができ、機器の正常な動作が保証される。又、負荷の駆動が不安定になることを防ぐうえで、高コストな電圧安定用の専用回路を含む基板等を設けずにすみ、安価、簡易に、済ますことができる。
【図面の簡単な説明】
【００２１】
【図１】複合機の一例を示す模型的正面断面図である。
【図２】複合機のハードウェア構成の一例を示すブロック図である。
【図３】負荷への電力供給の切替とキャパシターの接続先を切り替えの一例を示すブロック図である。
【図４】電力供給が停止される負荷へのキャパシターの接続を説明する説明図である。
【図５】電力供給が開始される負荷へのキャパシターの接続を説明するための説明図である。
【図６】電力を供給する負荷の切替の一例を説明するためのブロック図である。
【発明を実施するための形態】
【００２２】
以下、本発明の実施形態を図１〜図６を用いて説明する。尚、以下は、本実施形態に係る電気機器１００を含む複合機１０１（画像形成装置に相当）を例に挙げて説明する。但し、本実施の形態に記載される構成、配置等の各要素は発明の範囲を限定するものではなく単なる説明例にすぎない。
【００２３】
（複合機１０１の概略構成）
まず、図１に基づき、実施形態に係る複合機１０１の概略を説明する。図１は、複合機１０１の一例を示す模型的正面断面図である。
【００２４】
本実施形態の複合機１０１は、上部に、原稿搬送部１ａと画像読取部１ｂを含む読取部１を有する。原稿搬送部１ａは、原稿トレイ１１に積載された原稿を１枚ずつ画像読取部１ｂの読取位置（送り読取用コンタクトガラス１２）に搬送する。原稿トレイ１１には、コピーやスキャンを行う原稿が複数載置される。又、原稿搬送部１ａは、紙面奥側に設けられた支点（不図示）により、上方に持ち上げて開けることができる。そして、原稿搬送部１ａを持ち上げることにより、例えば書籍等の原稿を画像読取部１ｂの上面の載置読取用コンタクトガラス１３に載せることができる。
【００２５】
そして、図１に破線で示すように、正面上方にコピー等の印刷の設定入力を受け付け、各種情報を表示する操作パネル２が設けられる。図１に破線で示すように、操作パネル２は複合機１０１の正面上方に設けられる。そして、操作パネル２は、タッチパネル式の液晶表示部２１を含む。液晶表示部２１は、複合機１０１でのエラー等の状態表示を行う他、用紙サイズや、拡大縮小、濃度設定等の複合機１０１で実行するジョブの機能設定用のキー、ボタンを含む各種設定用の画面を表示する。タッチパネル等により押されたキーやボタンが、操作パネル２で認識される。又、操作パネル２には数字等の入力用のテンキー部２２や、ジョブの実行開始を指示するスタートキー２３等のハードキーが設けられる。これら液晶表示部２１や各種ハードキーにより、使用者は、複合機１０１の設定を行う。
【００２６】
そして、複合機１０１の筐体内に、画像読取部１ｂ、給紙部３ａ、搬送路３ｂ、画像形成部４ａ、定着部４ｂ等が設けられる。
【００２７】
画像読取部１ｂは、原稿を読み取り画像データを生成する。そして、画像読取部１ｂの上面にコンタクトガラス（送り読取用コンタクトガラス１２と載置読取用コンタクトガラス１３の２種）が設けられ、その内部には、水平方向（図１で言えば、左右方向）で移動する移動枠（露光ランプ、ミラー等を具備）、レンズ、イメージセンサー（例えば、ＣＣＤ）等の光学系部材（いずれも不図示）が設けられる。例えば、原稿搬送部１ａで連続的に搬送される原稿を読み取る場合、送り読取用コンタクトガラス１２の下方に移動枠を固定し、原稿の反射光をレンズ、イメージセンサーに導く。又、載置読取用コンタクトガラス１３に載置された原稿を読み取る場合には、移動枠を水平方向に移動させて、原稿の反射光をレンズ、イメージセンサーに導く。
【００２８】
そして、画像読取部１ｂは、これら光学系部材を用い、原稿に光を照射し、その原稿の反射光を受けたイメージセンサーの各画素の出力値をＡ／Ｄ変換し画像データを生成する。そして、複合機１０１は読取られた画像データに基づく印刷（コピー機能）や、得られた画像データの送信等（スキャン機能、ＦＡＸ機能）を行う。
【００２９】
画像形成用の用紙を収容、供給する給紙部３ａとして、２つの給紙カセット３１ａ、３１ｂが、計２つ垂直方向に積まれる。給紙部３ａは、各種（例えば、普通紙、コピー用紙、再生紙等）、各サイズ（例えば、Ａ４、Ａ３、Ｂ４、Ｂ５、レターサイズ等）の用紙を複数（例えば、５００〜１０００枚程度）積載して収容する。
【００３０】
各給紙カセット３１ａ、３１ｂには、回転駆動し、用紙を１枚ずつ搬送路３ｂに送り出す給紙ローラー３２ａ、３２ｂが、それぞれ設けられる。次に、搬送路３ｂは、装置内で用紙を搬送する通路である。そして、搬送路３ｂには、用紙搬送時に回転駆動する複数の搬送ローラー対３３（図１では、上流側から３３ａ〜３３ｆの計６つを図示）や、搬送される用紙を画像形成部４ａの手前で待機させ、トナー像形成に合わせて用紙を送り出すレジストローラー対３４等が設けられる。
【００３１】
画像形成部４ａは、画像データに基づき給紙部３ａから給紙された用紙に画像（トナー像）を形成し、搬送される用紙にトナー像を転写する。尚、画像データには、画像読取部１ｂで取得された原稿の画像データや、複合機１０１に接続されるコンピューター２００（図２参照）等から送信された画像データが利用される。
【００３２】
そして、画像形成部４ａは、図１中に示す矢印方向に回転駆動可能に支持された感光体ドラム４１や、その周囲に配設された帯電装置４２、露光装置４３、現像装置４４、転写ローラー４５、クリーニング装置４６等を備える。トナー像形成及び転写プロセスを説明すると、感光体ドラム４１は、画像形成部４ａの略中心に設けられ、所定方向に回転駆動する。帯電装置４２は、感光体ドラム４１を所定電位に帯電させる。露光装置４３は、画像データに基づき、レーザ光Ｌを出力し、感光体ドラム４１表面を走査露光して画像データに応じた静電潜像を形成する。
【００３３】
又、現像装置４４は、感光体ドラム４１に形成された静電潜像にトナーを供給して現像する。転写ローラー４５は感光体ドラム４１に圧接し、ニップを形成する。そして、レジストローラー対３４がタイミングを図り用紙をニップに進入させる。用紙とトナー像のニップ進入時、転写ローラー４５には所定の電圧が印加され、用紙に感光体ドラム４１上のトナー像が転写される。クリーニング装置４６は、転写後に感光体ドラム４１に残留するトナー等を除去する。
【００３４】
定着部４ｂは、用紙に転写されたトナー像を定着させる。本実施形態における定着部４ｂは、主として発熱体を内蔵する加熱ローラー４７と加圧ローラー４８で構成される。加熱ローラー４７と加圧ローラー４８は圧接しニップを形成する。そして、用紙が、このニップを通過すると、トナーが溶融・加熱され、トナー像が用紙に定着する。トナー定着後の用紙は排出トレイ３５に排出される。
【００３５】
（複合機１０１のハードウェア構成）
次に、図２に基づき、実施形態に係る複合機１０１のハードウェア構成を説明する。図２は、複合機１０１のハードウェア構成の一例を示すブロック図である。
【００３６】
まず、主制御部５は、各種素子、回路等を組み合わせ基板として構成される。主制御部５は、複合機１０１の動作制御を司る部分である。例えば、主制御部５は、演算や処理を行う部分としてメインＣＰＵ５１や記憶部５２や画像処理部５３などを含む。メインＣＰＵ５１は、主制御部５の演算処理装置であり、記憶部５２に記憶されるデータ、プログラムに基づき、各種処理、演算、制御を行う。記憶部５２は、例えば、不揮発性の記憶装置（フラッシュＲＯＭやＨＤＤ）と、揮発性の記憶装置（例えば、ＲＡＭ）とを組み合わせて構成される。記憶部５２は、ジョブ実行等、各種制御に要するデータ、プログラムや、画像データなどを記憶する。尚、記憶部５２は、主制御部５外に設けられてもよい。
【００３７】
画像処理部５３は、画像読取部１ｂで生成された画像データや、外部から入力された画像データに対し画像処理を施す。例えば、画像処理部５３は、画像処理専用のＡＳＩＣや画像処理メモリーを含む。画像処理後の画像データを、印刷のため露光装置４３に送ることもできるし（コピー機能、プリンタ機能）、記憶部５２に記憶することもできるし（スキャナ機能）、後述の通信部５４から外部（コンピューター２００、ＦＡＸ装置３００等）に送信することもできる（スキャナ機能、ＦＡＸ機能）。尚、画像処理部５３は、メインＣＰＵ５１や記憶部５２により機能的に実現されてもよい。又、画像処理部５３が行える画像処理は、拡大・縮小処理や、濃度変更等、多岐にわたるので、公知の画像処理を実行できるとして詳細は割愛する。
【００３８】
読取部１は、画像読取部１ｂと原稿搬送部１ａを含む。そして、画像読取部１ｂには、画像読取部１ｂに含まれる部品、回路を制御する読取制御部１０ｂが設けられる。読取制御部１０ｂは、例えば、ＣＰＵや画像読取部１ｂの制御に要するプログラムやデータを含むメモリーを含む基板や回路として設けられる。そして、読取制御部１０ｂは、主制御部５の原稿の読取実行指示を受けると、イメージセンサーやランプ等の制御や生成した画像データの主制御部５等への送信等、画像読取部１ｂを実際に制御する。
【００３９】
又、原稿搬送部１ａでも同様に、原稿搬送部１ａに含まれる部品、回路を制御する原稿搬送制御部１０ａが設けられる。原稿搬送制御部１０ａも、例えば、ＣＰＵや画像読取部１ｂの制御に要するプログラムやデータを含むメモリーを含む基板や回路として設けられる。そして、原稿搬送制御部１０ａは、主制御部５の原稿搬送の実行指示を受けると、各種回転体を制御し、原稿を１枚ずつ読み取り位置に向けて搬送する。
【００４０】
又、複合機１０１での印刷に関し、印刷エンジン部４が設けられる。印刷エンジン部４には、上述の給紙部３ａ、搬送路３ｂ、画像形成部４ａ、定着部４ｂ等が含まれる。そして、印刷エンジン部４内には、主制御部５の指示を受け、実際に印刷エンジン部４の動作を制御するエンジン制御部４０が設けられる。エンジン制御部４０は、例えば、ＣＰＵや印刷の際に用いるプログラムやデータを記憶するメモリーなどを含む。そして、エンジン制御部４０は、給紙、搬送、トナー像形成、定着部４ｂの温度制御など、印刷エンジン部４に含まれる部材の制御を行う。
【００４１】
次に、複合機１０１での設定入力の受け付けや表示に関し、操作パネル２が設けられる。この操作パネル２内には、主制御部５の指示を受け、実際に操作パネル２を制御するパネル制御部２０が設けられる。パネル制御部２０は、例えば、ＣＰＵや各種プログラムや表示用の画像データや入力受付用データを記憶するメモリーなどを含む。そして、パネル制御部２０は、液晶表示部２１での表示制御や、タッチパネルの出力から押された座標を求めて液晶表示部２１で押されたキーの認識処理や、各種ハードキーの押下の認識等、操作パネル２に含まれる部材の制御を行う。
【００４２】
又、複合機１０１には、通信部５４が設けられる。通信部５４は、外部のコンピューター２００（例えば、パーソナルコンピューターやサーバー）やＦＡＸ装置３００等との通信線を接続するためのコネクタやソケットや通信用の回路、チップを含むＩ／Ｆ部５５や通信制御を行う通信制御部５６を含む。通信制御部５６は、Ｉ／Ｆ部５５及びネットワーク、回線、ケーブル等を介して、外部のコンピューター２００やＦＡＸ装置３００と通信を行う。例えば、通信部５４が受信したデータは、主制御部５に引き渡される。この通信部５４を介した通信により、コンピューター２００やＦＡＸ装置３００から印刷用のデータを受信することができる（プリンター機能、スキャン機能）。コンピューター２００やＦＡＸ装置３００に画像データを送信することができる。
【００４３】
（電力を供給する負荷の切替）
次に、図３〜図５を用いて、実施形態に係る複合機１０１に含まれる電気機器１００での電力を供給する負荷の切替の概要を説明する。図３は、負荷への電力供給の切替とキャパシター９の接続先を切り替えの一例を示すブロック図である。図４は、電力供給が停止される負荷へのキャパシター９の接続を説明するための説明図である。図５は、電力供給が開始される負荷へのキャパシター９の接続を説明するための説明図である。
【００４４】
まず、複合機１０１には、主制御部５、読取部１、印刷エンジン部４、操作パネル２、通信部５４等の負荷（電力の供給を受けて駆動し、動作、処理を行う部分）が設けられる。又、主制御部５、読取部１、印刷エンジン部４、操作パネル２、通信部５４等の各部分の内部にも各種制御部（メインＣＰＵ５１、読取制御部１０ｂ、原稿搬送制御部１０ａ、エンジン制御部４０、パネル制御部２０）等の基板、回路等の負荷が設けられる。言い換えると、複合機１０１は、複数の大小の負荷が組み合わされて構成される。
【００４５】
これら各種負荷に対し電力の供給を行うため、複合機１０１の内部に電源部６が設けられる。電源部６には、各種負荷に適切な電圧で電力供給を行うために、１又は複数の電力変換回路６１が設けられる。例えば、電力変換回路６１は、整流回路やトランスや昇圧回路や降圧回路などを有し、複合機１０１内のモーター用の電圧（例えば、ＤＣ２４Ｖ）や各種制御部や回路駆動用の電圧（例えば、ＤＣ５Ｖ、３．３Ｖ、１．８Ｖ等）を生成する。そして、電源部６は、各負荷に応じた電圧で電力の供給を行う。
【００４６】
そして、本実施形態の複合機１０１では、例えば、択一的に用いられる複数の負荷について、用いる負荷に対してのみ電力の供給を行い、用いない負荷への電力の供給を停止する。言い換えると、複数の負荷のうち、予め定められた順序で、電力を供給する負荷を切り替える。これにより、用いない負荷への電力の供給を停止し、無駄な電力の消費を無くすことができる。
【００４７】
図３を用いて、電力を供給する負荷の切替の概要を説明する。図３では、択一的に用いられる負荷として、画像処理部５３に設けられた２種のブロック（第１基板部７１、第２基板部７２）を例に挙げて説明する。尚、第１基板部７１と第２基板部７２は別基板とされても良いし、同一基板上に別のブロックとして設けられても良い。又、本説明では、２つのブロックへの電力の供給先を切り替える例を説明するが、３つ以上のブロックが設けられてもよく、使用するブロックに電力が供給されるように、電力供給先の切替がなされる点で同様に説明できる。
【００４８】
例えば、第１基板部７１は、予め定められた一連の画像処理の流れのうち、前半のステップを担当する回路をまとめた部分とし、第２基板部７２は、後半のステップを担当する回路をまとめた部分としてもよい。例えば、読取部１での読み取りや受信した画像データに対し、各種補正等の基本的な画像処理を行う回路をまとめた部分を第１基板部７１とすることができる。又、第１基板部７１が処理し、第１基板部７１が記憶部５２に記憶させた画像データに基づき、ズーム（拡大・縮小）、濃度変換等、画像データを最終的に形成するための回路をまとめた部分を第２基板部７２とすることができる。
【００４９】
又、第１基板部７１は、画像データの圧縮を行う回路とし、第２基板部７２は画像データの伸張を行う回路とし、同時に用いられない関係に基づき、第１基板部７１と第２基板部７２を区別するようにしても良い。又、画像処理部５３に含める回路の全てを、第１基板部７１と第２基板部７２のいずれかに振り分けるのではなく、一部の回路を第１基板部７１と第２基板部７２から外し、電力を供給する負荷の切替に関係なく電力の供給が継続される部分（回路）を設けるようにしてもよい。このように、電力供給が切替られる負荷の内容、態様は、適宜定めることができる。
【００５０】
そして、電力を供給する負荷（第１基板部７１、第２基板部７２）の切替を行うため、第１スイッチ８１が設けられる。例えば、第１スイッチ８１には、半導体や機械的なスイッチが用いられる。そして、第１スイッチ８１は、電源部６に接続される１つの端子を含む。又、第１スイッチ８１は、第１基板部７１に接続される端子と、第２基板部７２に接続される端子を含む。例えば、第１スイッチ８１は制御信号に基づき、電源部６に接続される端子と繋ぐ負荷を切り替える。
【００５１】
例えば、メインＣＰＵ５１は、画像処理部５３からの通知や記憶部５２の状態に基づき、画像処理部５３による画像処理の進行状況や、第１スイッチ８１の切替タイミングを把握する。そして、例えば、メインＣＰＵ５１が、第１スイッチ８１に対して制御信号を与え、電力を供給する負荷の切替を行う。尚、第１スイッチ８１に対して制御信号を与え、適切なタイミングで電力を供給する負荷の切替を行う制御回路を別途設けるようにして、メインＣＰＵ５１ではなく別途設けた制御回路により、電力を供給する負荷の切替が行われるようにしても良い。
【００５２】
そして、第１基板部７１と第２基板部７２に対して、補助的に電力の供給を行うためのキャパシター９が設けられる。キャパシター９は、例えば、数μＦ以上の静電容量を有する（負荷の駆動に要する電力等による）。
【００５３】
そして、キャパシター９と第１基板部７１又は第２基板部７２とを接続するための第２スイッチ８２が設けられる。例えば、第２スイッチ８２には、半導体や機械的なスイッチが用いられる。そして、第１スイッチ８１が電力を供給する負荷の切替を行うとき、第２スイッチ８２は切替に伴って駆動が不安定となる負荷とキャパシター９を接続する。例えば、メインＣＰＵ５１が、第２スイッチ８２を制御して、負荷とキャパシター９の接続を制御する。言い換えると、第２スイッチ８２は制御信号に基づき、キャパシター９と接続する負荷を切り替える。
【００５４】
このように、本実施形態に係る電気機器１００には、例えば、第１基板部７１や第２基板部７２等の負荷や、電源部６や、第１スイッチ８１や、第２スイッチ８２やキャパシター９やその他、メインＣＰＵ５１等のスイッチ制御素子が電気機器１００に含まれると考えることもできる。
【００５５】
次に、図４を用いて、電力供給が停止される負荷（切替前の負荷）にキャパシター９を接続する態様を説明する。まず、図４での最上段のタイミングチャートと上から２番目のタイミングチャートは、負荷（第１基板部７１と第２基板部７２）の駆動の切替（使用する期間の切替）を示す。図４に示すように、第１基板部７１と第２基板部７２は、択一的に使用される。尚、第１基板部７１と第２基板部７２を使用する期間の一部がかぶっていてもよい。
【００５６】
そして、図４の上から３段目のタイミングチャートは、第１スイッチ８１による電力の供給の切替タイミングを示す。
【００５７】
図４に示すように、負荷を使用する区間の最初から確実に利用できるようにしたい場合がある。この場合、電力供給を停止する負荷（切替前の負荷）の駆動期間が完了する少し前に、切替後の負荷への電力の供給を開始し、切替前の負荷は、それまでに負荷で蓄えられたエネルギーにより、期間完了まで駆動させることになる。
【００５８】
図４の例では、時点Ｔ２までが第１基板部７１を駆動させる期間であり、時点Ｔ２で駆動させる負荷が第２基板部７２に移行する。又、使用する負荷の切り替わりにより、図４の例では、時点Ｔ４までが第２基板部７２を駆動させる期間であり、時点Ｔ４で駆動させる負荷が第１基板部７１に移行する（切り替わる）。
【００５９】
そして、時点Ｔ２から確実に負荷（第２基板部７２）を駆動させるため、負荷（第２基板部７２）への電力の供給を実際に開始してから確実に負荷が駆動するために要する予め定められた時間Δ１だけ時点Ｔ２からさかのぼったＴ１の時点で、第１スイッチ８１は、電力の供給先を第２基板部７２に切り替える。又、確実に負荷が駆動するために要する予め定められた時間Δ１だけ時点Ｔ４からさかのぼったＴ３の時点で、第１スイッチ８１は電力の供給先を第１基板部７１に切り替える。
【００６０】
尚、図４では、電力を供給する負荷の切替時間が無視できる形態で電力の供給が切り替えられているが、例えば、機械的スイッチの場合、いずれの負荷にも電力の供給がなされない状態となることがある。従って、電力を供給する負荷の切替に要する時間を考慮して予め定められた時間Δ１を定めることができる。
【００６１】
例えば、メインＣＰＵ５１は、使用する（駆動させる）基板部の切替時点（第１基板部７１や第２基板部７２での処理状況を把握したり、先の電力供給先の切替時点からの予め定められた時間の経過に基づき定める）に対し、予め定められた時間Δ１だけ早い時点（例えば、図４の時点Ｔ１や時点Ｔ３）で第１スイッチ８１による電力の供給先を切り替える制御信号を第１スイッチ８１に発する。例えば、予め定められた時間Δ１を示すデータは、記憶部５２に記憶され、メインＣＰＵ５１がデータを用いる。そして、第１スイッチ８１は、制御信号を受け電力を供給する負荷を切り替える。
【００６２】
このように、電力供給が停止された負荷（切替前の負荷）の駆動が完了する前に、電力の供給先を切り替えるので、切替前の負荷の駆動が不安定となることがある。例えば、電圧低下により、完全に動作が完了する前に停止したり、不要な信号が外部に向けて出力されたりすることがある。
【００６３】
そこで、図４に示すように、第２スイッチ８２は、電力を供給する負荷の切替前から、電力供給が停止される負荷（切替前の負荷）とキャパシター９を接続しておく。そして、第２スイッチ８２は、電力を供給する負荷の切替があってから、少なくとも切替前の負荷の駆動が完了するまで、キャパシター９と切替前の負荷を接続する。このように、キャパシター９は、補助電源として用いられる。そのため、キャパシター９の容量は、電力を供給する負荷の切替があってから、切替前の負荷の駆動が完了するまで、必要な電荷を供給できる容量であればよい。
【００６４】
一方、キャパシター９を電力供給が停止された負荷に接続したままでは充電できない。そこで、電力供給が停止された負荷（切替前の負荷）の駆動が完了すると、第２スイッチ８２は、キャパシター９を電力供給が開始された負荷（切替後の負荷）と接続する。そして、キャパシター９は、電力の供給中の負荷を介して充電される。
【００６５】
図４で、このようなキャパシター９の接続を行うときのキャパシター９の蓄電状態の一例を図示している。例えば、時点Ｔ１の時点で、第１基板部７１から第２基板部７２に電力の供給先が切り替えられる場合、時点Ｔ１の時点よりも前の時点で、メインＣＰＵ５１は、第２スイッチ８２にキャパシター９と第１基板部７１とを接続させる。そして、メインＣＰＵ５１は、時点Ｔ１から時点Ｔ２までの間、キャパシター９から第１基板部７１への電力を供給させる。これにより、第１基板部７１は駆動期間完了まで、安定して駆動する。
【００６６】
この場合、図４に示すように、キャパシター９は、時点Ｔ１を境として放電を開始する。そして、キャパシター９の電位Ｖｃ０は、低下してゆく。そこで、第２スイッチ８２に指示を与え、電力供給が開始された負荷（切替後の負荷）とキャパシター９を接続させる（例えば、図４での時点Ｔ５）。このキャパシター９の接続先の切替によって、キャパシター９の充電が開始される。そのため、切替後の負荷から更に次の負荷に電力の供給先が切り替えられるとき、キャパシター９の充電が完了するように、メインＣＰＵ５１は、キャパシター９と接続する負荷を第２スイッチ８２に切替させる。
【００６７】
キャパシター９の接続を切り替えるタイミングは予め定められる。例えば、記憶部５２にキャパシター９の切替時点（切替タイミング）を示すデータが記憶される。メインＣＰＵ５１は、このデータを用い、第２スイッチ８２に対し、キャパシター９の接続の切替を指示する。
【００６８】
次に、図５を用いて、キャパシター９の接続の他の態様を説明する。まず、電力を供給する負荷を切り替えたとき、負荷への電流の流れ込み等により、電力供給を開始した負荷に印加される電圧の降下が生ずることがある。例えば、電源部６の能力を超えて負荷に電流を流そうとしたとき、電圧の降下が生じ得る。
【００６９】
このような電力降下が生ずると、負荷を問題なく駆動をさせるのに要する電圧を下回ることがある。そのため、電力供給が開始された負荷（切替後の負荷）の動作の動作が、ある程度の間、不安定となる虞がある。
【００７０】
そこで、電力を供給する負荷の切替に応じて、電力供給を開始した負荷（切替後の負荷）にキャパシター９を接続すれば、電圧降下により、切替後の負荷の動作の動作が不安定になることに対応することができる。そこで、図５を用いて、電力供給を開始した負荷にキャパシター９の接続する場合を説明する。
【００７１】
まず、図５での最上段から上から３段目までのタイミングチャートは、図４の場合と同様であるので、説明を省略する。
【００７２】
そして、第２スイッチ８２は、電力を供給する負荷の切替前から、これから電力供給を停止する負荷とキャパシター９を接続しておく。これにより、キャパシター９の充電を図る。そして、第２スイッチ８２は、電力供給先の切替にあわせ、電力供給を開始する負荷（切替後の負荷）にキャパシター９を接続する。このようにキャパシター９は、切替後の負荷に十分な電力を供給するための補助電源として用いられる。これにより、切替後の負荷の動作を安定させることができる。そして、キャパシター９の容量は、電力を供給する負荷の切替があってから、切替後の負荷の駆動安定する程度の電荷を供給できる容量であればよい。
【００７３】
具体的に、図５の例では、時点Ｔ１で第１基板部７１から第２基板部７２へ、時点Ｔ３で第２基板部７２から第１基板部７１へ、電力供給先が切り替えられる。この切替に応じて、第２スイッチ８２は、時点Ｔ１でキャパシター９を第２基板部７２に接続し、時点Ｔ３でキャパシター９を第１基板部７１に接続する。言い換えると、第２スイッチ８２は、電力供給先の切替と同様に、負荷（第１基板部７１や第２基板部７２）とキャパシター９を接続する。そして、時点Ｔ１や時点Ｔ３での電力供給が開始された負荷の駆動の安定を図る。尚、第２スイッチ８２は、電力供給先の切替時点よりも、はやめにキャパシター９に負荷への電力供給を開始させてもよい。
【００７４】
そして、図５に示すように、電力供給先の切替に伴いキャパシター９を接続した負荷（切替後の負荷、例えば、第２基板部７２）の駆動が安定すると、キャパシター９は、切替後の負荷を介して充電され、キャパシター９の電位Ｖｃ０が上昇する。そして、次の負荷（例えば、第１基板部７１）への電力供給先の切替にあわせ、第２スイッチ８２は、キャパシター９を第１基板部７１に接続する。
【００７５】
このようなキャパシター９の接続を行うときのタイミングを記すデータは、例えば、記憶部５２に記憶される。メインＣＰＵ５１は、このデータを用い、第２スイッチ８２に対し、キャパシター９の接続の切替を指示する。
【００７６】
尚、図４と図５に示すように、キャパシター９を用いることによって、電力供給が停止される負荷の駆動を安定させることもできるし、電力供給を開始する負荷の駆動を安定させることもできる。そのため、キャパシター９を負荷に接続するタイミングや手順を予め定めたデータ（どの負荷にどのようにキャパシター９を接続させるかを示すデータ）を記憶部５２に記憶させておき、メインＣＰＵ５１は、予め定められたキャパシター９を負荷に接続するタイミングや手順を定めたデータに基づき、第２スイッチ８２を制御する。
【００７７】
例えば、図４や図５に示す第１基板部７１と第２基板部７２の場合、「第１基板部７１から第２基板部７２に電力供給先が切り替えられるとき、第２スイッチ８２がキャパシター９を第１基板部７１に接続して第１基板部７１を駆動完了させる→第２基板部７２にキャパシター９に接続してキャパシター９を充電→第２基板部７２から第１基板部７１に電力の供給先が切り替えられるとき、併せて第１基板部７１にキャパシター９を接続」というように、第１基板部７１での駆動の安定化を重視して、キャパシター９を負荷に接続するタイミングや手順を予め定めておくこともできる。
【００７８】
（電力を供給する負荷の切替）
次に、図６を用いて、本実施形態の電力を供給する負荷の切替の他例を説明する。図６は、電力を供給する負荷の切替の一例を説明するためのブロック図である。
【００７９】
上記では、図３〜図５を用いて画像処理部５３に設けられた基板のブロックを単位として電力の供給先を切り替える例を説明した。しかし、本発明では、負荷を回路や基板や素子だけではなく、読取部１、画像処理部５３、印刷エンジン部４等の複数の負荷が組み合わされた１まとまりの負荷を本実施形態での１つの負荷の単位として扱うことができる。
【００８０】
そこで、読取部１、画像処理部５３、印刷エンジン部４を１つの負荷と捉え、電力を供給する負荷の切替と、キャパシター９の接続を説明する。
【００８１】
まず、上述のように電源部６は、これら各種負荷に電力の供給を適切な電圧で行うために、複数種の電圧を電力変換回路６１で生成する。そして、第１スイッチ８１を介して、電源部６が生成した電圧が各負荷（読取部１、画像処理部５３、印刷エンジン部４）に与えられる。尚、図６では、電源部６から各負荷への接続線は一本であるが、複数種の電圧の供給が必要な場合、電源部６から各負荷へは複数本分の電力の供給ラインが設けられる（例えば、モーター駆動用や制御部駆動用等）
【００８２】
そして、本実施形態の複合機１０１では、画像データの流れに沿って、読取部１、画像処理部５３、印刷エンジン部４が択一的に用いられる。例えば、原稿の読み取りにより画像データを生成するとき読取部１に対し、電力の供給がなされる。これにより、読取部１で、読取制御部１０ｂ等に電力が供給され、起動し、原稿の読み取りと画像データの生成がなされる。そして、読取部１の読み取りにより得られた画像データが記憶部５２に記憶されると、読取部１への電力の供給が停止され、電力の供給先が画像処理部５３に切り替えられる。これにより画像処理部５３が起動する。そして、画像処理部５３での画像処理がなされ、印刷に用いる画像処理済みの画像データが記憶部５２に記憶されると、画像処理部５３への電力の供給が停止される。続いて、電力の供給先が印刷エンジン部４に切り替えられる。そして、印刷エンジン部４は、エンジン制御部４０等に電力供給がなされることにより起動し、印刷が行われる。
【００８３】
このように、原稿に基づきコピーを行うとき、第１スイッチ８１は、用いる負荷に対してのみ電力の供給を行い、用いない負荷への電力の供給を停止する。具体的には、１ページのコピーの場合、読取部１→画像処理部５３→印刷エンジン部４の順に電力の供給先が切り替えられる。用いない負荷への電力の供給を停止し、無駄な電力の消費を無くすことができる。
【００８４】
尚、複合機１０１の構成は複雑で、様々な部分がある。例えば、印刷エンジン部４では、定着部４ｂの温度維持など、印刷エンジン部４の全てに対して電力の供給を停止すべきではない場合もある。そこで、読取部１、画像処理部５３、印刷エンジン部４のそれぞれの負荷の全体の電力の供給のＯＮ／ＯＦＦを行うのではなく、第１スイッチ８１は、読取部１、画像処理部５３、印刷エンジン部４のそれぞれの負荷の一部分に対してのみ、順次、電力の供給の切り替えを行うようにしてもよい。言い換えると、各負荷の一部への電力供給は継続してもよい。
【００８５】
例えば、主制御部５（メインＣＰＵ５１）は、読取部１、画像処理部５３、印刷エンジン部４からの通知や記憶部５２の状態に基づき、処理の進行状況や、第１スイッチ８１の切替タイミングを把握する。そして、例えば、メインＣＰＵ５１が、第１スイッチ８１に対して制御信号を与え、電力を供給する負荷の切替を行う。尚、第１スイッチ８１に対して制御信号を与え、適切なタイミングで電力を供給する負荷の切替を行う制御回路を主制御部５などに別途設けるようにして、メインＣＰＵ５１ではなく別途設けた制御回路により、電力を供給する負荷の切替が行われるようにしても良い。
【００８６】
そして、各負荷（読取部１、画像処理部５３、印刷エンジン部４）に対して、補助的に電力の供給を行うためのキャパシター９が設けられる。尚、キャパシター９の容量は、負荷が上述の第１基板部７１や第２基板部７２である場合に比べ、大きくする必要がある。
【００８７】
そして、キャパシター９と各負荷（読取部１、画像処理部５３、印刷エンジン部４）とを接続するための第２スイッチ８２が設けられる。例えば、第２スイッチ８２には、半導体や機械的なスイッチが用いられる。そして、第２スイッチ８２は、第１スイッチ８１が電力を供給する負荷の切替を行うとき、切替に伴って駆動が不安定となる負荷とキャパシター９を接続する。例えば、主制御部５のメインＣＰＵ５１が、第２スイッチ８２を制御して、各負荷とキャパシター９との接続を制御する。
【００８８】
このように、負荷を読取部１、画像処理部５３、印刷エンジン部４と捉え、電源部６や、第１スイッチ８１や、第２スイッチ８２やキャパシター９により、本実施形態に係る電気機器１００が構成される。尚、メインＣＰＵ５１等のスイッチ制御素子が電気機器１００に含まれると考えることもできる。
【００８９】
尚、電力を供給する負荷の切替に対するキャパシター９の接続の手順、手法、利点等は、図４、図５を用いて説明した場合と同様である。例えば、各負荷（読取部１、画像処理部５３、印刷エンジン部４）の電力供給の切替タイミングを予め定めたデータや、キャパシター９を負荷に接続するタイミングや手順を予め定めたデータ（どの負荷にどのようにキャパシター９を接続させるかを示すデータ）を記憶部５２に記憶させておく。そして、主制御部５（メインＣＰＵ５１）は、記憶部５２に記憶された予め定められたデータに基づき、電力を供給する負荷を切替、キャパシター９を負荷に接続するタイミングや手順を定めたデータに基づき、第２スイッチ８２を制御し、各負荷の動作の安定化を図る。
【００９０】
このようにして、本実施形態の電気機器１００は、複数の負荷（例えば、第１基板部７１、第２基板部７２、画像読取部１ｂ、画像処理部５３、印刷エンジン部４等）と、負荷に電力を供給する電源部６と、負荷と電源部６との接続、遮断を切り替え、複数の負荷のうち、電力を供給する負荷を切り替える第１スイッチ８１と、電力を蓄え、接続された負荷に対して電力を供給するキャパシター９と、複数の負荷のうち、キャパシター９と接続する負荷を切り替え、電源部６と接続する負荷の第１スイッチ８１による切り替えに伴い、駆動が不安定となる負荷とキャパシター９を接続する第２スイッチ８２と、を含む。
【００９１】
これにより、電源部６からの電力を供給する負荷（例えば、第１基板部７１、第２基板部７２、画像読取部１ｂ、画像処理部５３、印刷エンジン部４等）の切替を行っても、各負荷の駆動が不安定にならない。このように、負荷の駆動を安定に保つので（安定化するので）、機器の正常な動作が保証される。又、使用されない負荷に対しては電力の供給がなされないので、高い省電力効果を得ることができる。又、キャパシター９を設け、キャパシター９の接続先を切り替えるだけなので、消費電力の変動に対応した高コストな負荷に対する電圧安定用の専用回路を備えた基板、回路を設けずに済む。従って、電力を供給する負荷の切替に伴う負荷の駆動の不安定化を、安価に防ぐことができる。又、電圧安定用の専用回路などを設ける場合に比べ、簡易に負荷の駆動の不安定化を防ぐことができ、電気機器１００の開発期間の短縮化を図ることができる。
【００９２】
又、電力供給が開始される負荷（切替後の負荷）が駆動を開始すべきタイミングにあわせて、電力を供給する負荷の切替を行うことがある。言い換えると、電力供給が停止される負荷（切替前の負荷）の動作完了を待たずに電力供給先を切り替えつつ、切替前の負荷を、負荷に蓄えられたエネルギーを用いて期間完了まで駆動させることがある。このような場合、第１スイッチ８１による電力を供給する負荷の切替に伴い、電力供給が停止される負荷は、駆動完了までの間に動作不安定となることがある。そこで、第２スイッチ８２は、第１スイッチ８１が電源部６と接続する負荷（例えば、第１基板部７１、第２基板部７２、画像読取部１ｂ、画像処理部５３、印刷エンジン部４等）を切り替えるとき、電力供給が停止される負荷とキャパシター９を接続する。これにより、切替後の負荷を優先するように、電力を供給する負荷の切替がなされても、電力供給が停止される負荷（切替前の負荷）を動作完了の時点まで安定して駆動させることができる。
【００９３】
又、負電源の電力や電流の供給能力や、電力の供給開始時に負荷に流れ込む電流の大きさなどとの兼ね合いで、負荷への電力供給を開始したとき、負荷に印加される電圧が低下することがある。そこで、第２スイッチ８２は、第１スイッチ８１が電源部６と接続する負荷（例えば、第１基板部７１、第２基板部７２、画像読取部１ｂ、画像処理部５３、印刷エンジン部４等）を切り替えるとき、これから電力供給が開始される負荷とキャパシター９を接続する。これにより、負荷に印加する電圧の一時的な低下を防止し、負荷を正確、確実に駆動させることができる。
【００９４】
又、第２スイッチ８２は、電力が供給され駆動中の負荷（例えば、第１基板部７１、第２基板部７２、画像読取部１ｂ、画像処理部５３、印刷エンジン部４等）とキャパシター９を接続し、キャパシター９は、電力が供給され駆動中の負荷を介して充電する。これにより、電力を供給する負荷の切替を行う前の段階でキャパシター９を充電することができる。又、十分に充電されたキャパシター９により、電力を供給する負荷の切替に伴って、駆動が不安定化しないように負荷に電力を供給することができる。
【００９５】
又、画像形成装置（例えば、複合機１０１）は、上記の電気機器１００を含ませる。これにより、駆動が不安定にならないように、画像形成装置に含まれる各種負荷（例えば、第１基板部７１、第２基板部７２、画像読取部１ｂ、画像処理部５３、印刷エンジン部４等）への電力を供給を切り替えることができる。又、使用されない負荷に対しては電力の供給がなされないので、高い省電力効果を得ることができる。従って、高い省電力効果を有しつつ、正常な動作が保証された画像形成装置を提供することができる。又、電力を供給する負荷の切替に伴う負荷の駆動の不安定化を、安価、簡易に防ぐことができるので、画像形成装置の製造コストの削減や開発期間の短縮を実現することができる。
【００９６】
以上、本発明の実施形態について説明したが、本発明の範囲はこれに限定されるものではなく、発明の主旨を逸脱しない範囲で種々の変更を加えて実施することができる。
【００９７】
例えば、上記の説明では、負荷として、画像処理部５３内のブロックや、読取部１、印刷エンジン部４を例に挙げたが、負荷はこれらに限られない。例えば、複合機１０１本体、後処理装置等のオプション装置というように、１つの装置を負荷の単位と扱わってもよい。又、負荷は、１つのチップ、回路であってもよい。
【産業上の利用可能性】
【００９８】
本発明は、電力の供給が個別に制御される複数の負荷を含む電気機器、画像形成装置に利用可能である。
【符号の説明】
【００９９】
１００  電気機器                        １０１  複合機（画像形成装置）
１      読取部（負荷の一例）            ４      印刷エンジン部（負荷の一例）
５３    画像処理部（負荷の一例）        ６      電源部
７１    第１基板部（負荷の一例）        ７２    第２基板部（負荷の一例）
８１    第１スイッチ                    ８２    第２スイッチ
９      キャパシター
【図１】
0005645793.tif 000002
【図２】
0005645793.tif 000003
【図３】
0005645793.tif 000004
【図４】
0005645793.tif 000005
【図５】
0005645793.tif 000006
【図６】
0005645793.tif 000007